(57)【要約】【課題】従来の振出式継合風の利点と、並継式等の継ぎ方式の利点とを併せ持たせる。【解決手段】前側竿管１０の元部１０Ａ外周にカット面１０Ｈを周方向に１箇所以上のＮ箇所形成し、後側竿管２０の先部２０Ａ内周にカット面２０Ｈを、前記前側竿管に設けたカット面に対応する周方向配置でＮ箇所形成し、該カット面２０Ｈには前側ほど後側竿管の中心に近づく傾斜領域を有しており、前記前側竿管元部と前記後側竿管先部とは、前側竿管元部と後側竿管先部の夫々のカット面を対面させる相対角度位置では、前側竿管元部を後側竿管先部内に挿入でき、充分に挿入した状態において相対回転可能であり、カット面同士の対面状態からずれる様に相対回転させた角度位置で、前側竿管を前方向に移動させれば、途中で嵌合する寸法に形成している継合部を具備するよう構成する。【選択図】  図１
2005278520.tif 000002
【特許請求の範囲】
【請求項１】
前側竿管の元部外周の周方向輪郭の円の内側に位置する面であって、長手方向に延伸し、前記元部外周の周方向輪郭円をカットした形のカット面を周方向に１箇所以上のＮ箇所形成し、
後側竿管の先部内周の周方向輪郭の円の内側に位置する面であって、長手方向に延伸し、前記先部内周の周方向輪郭円をカットした形のカット面を、前記前側竿管に設けたカット面に対応する周方向配置でＮ箇所形成し、該カット面には前側ほど後側竿管の中心に近づく傾斜領域を有しており、
前記前側竿管元部と前記後側竿管先部とは、前側竿管元部と後側竿管先部の夫々のカット面を対面させる相対角度位置では、前側竿管元部を後側竿管先部内に挿入でき、充分に挿入した状態において相対回転可能であり、カット面同士の対面状態からずれる様に相対回転させた角度位置で、前側竿管を前方向に移動させれば、途中で嵌合する寸法に形成している
継合部を具備することを特徴とする継式釣竿。
【請求項２】
前側竿管の元部外周を前細テーパの円錐状とし、該円錐状部に、該円錐状部の周方向輪郭の円の内側に位置する面であって、長手方向に延伸し、前側竿管の中心軸線に平行な面であり、該円錐状部の周方向輪郭円をカットした形のカット面を周方向に１箇所以上のＮ箇所形成し、
後側竿管の先部内周をストレートな円筒又は前細テーパの円錐状とし、該円筒部又は円錐状部に、該円筒部又は円錐状部の周方向輪郭の円の内側に位置する面であって、長手方向に延伸し、該円筒部又は円錐状部の周方向輪郭円をカットした形のカット面を、前記前側竿管に設けたカット面に対応する周方向配置でＮ箇所形成し、該カット面には前側ほど後側竿管の中心に近づく傾斜領域を有しており、
前記前側竿管元部と前記後側竿管先部とは、前側竿管元部と後側竿管先部の夫々のカット面を対面させる相対角度位置では、前側竿管元部を後側竿管先部内に挿入でき、充分に挿入した状態において相対回転可能であり、カット面同士の対面状態からずれる様に相対回転させた角度位置で、前側竿管を前方向に移動させれば、途中で嵌合する寸法に形成している
継合部を具備することを特徴とする継式釣竿。
【請求項３】
前側竿管の元部外周の、カット面でない円周部面には、前記後側竿管カット面の傾斜領域の該後側竿管中心軸線に対する傾斜角度と実質同じ傾斜角度の領域を有している請求項１又は２記載の継式釣竿。
【請求項４】
前記各竿管は繊維強化樹脂製であり、前記各カット面が平面である請求項１〜３の何れか１記載の継式釣竿。
【請求項５】
前記前側竿管のカット面と後側竿管のカット面とが、各竿管の長手方向に対して同じ方向に螺旋状に形成された面である請求項１記載の継式釣竿。
【請求項６】
前記Ｎは２以上であり、Ｎ箇所のカット面は円周方向に等角度配置されている請求項１〜５の何れか１記載の継式釣竿。
【請求項７】
前記Ｎは２、３又は４である請求項６記載の継式釣竿。
【発明の詳細な説明】
【技術分野】
【０００１】
本発明は継式釣竿に関するものである。
【背景技術】
【０００２】
振出式釣竿は、他の継式釣竿と異なり、釣竿使用中に竿管が抜け去ることが無いというメリットがある反面、一般に竿管の分解に手数を要する。殊に、外ガイド付きの振出式釣竿では、該外ガイドが邪魔になって分解できない場合もある。特に、トップガイド等、竿管の先端部において、竿管に対して固定された外ガイドを有する場合は、その突出した外ガイドが後側の竿管内部を通過できず、分解できない場合が多い。
【発明の開示】
【発明が解決しようとする課題】
【０００３】
然しながら、継式釣竿では、掃除をしたり、場合によっては竿調子の変更や折損等のために穂先竿等の竿管を交換する必要性が生じ得るが、分解できないと交換はできない。また、十分な掃除も容易ではない。
従って解決しようとする課題は、外ガイド付きには限らないが、釣竿使用中は従来の振出式釣竿と同様の感覚に継合嵌合でき、所望時には分解可能な継式釣竿を提供することである。
即ち、従来の振出式継合風の利点と、並継式等、振出式以外の継ぎ方式の利点とを併せ持つ継式釣竿の提供を目的とする。
【課題を解決するための手段】
【０００４】
請求項１に係る発明では、前側竿管の元部外周の周方向輪郭の円の内側に位置する面であって、長手方向に延伸し、前記元部外周の周方向輪郭円をカットした形のカット面を周方向に１箇所以上のＮ箇所形成し、後側竿管の先部内周の周方向輪郭の円の内側に位置する面であって、長手方向に延伸し、前記先部内周の周方向輪郭円をカットした形のカット面を、前記前側竿管に設けたカット面に対応する周方向配置でＮ箇所形成し、該カット面には前側ほど後側竿管の中心に近づく傾斜領域を有しており、前記前側竿管元部と前記後側竿管先部とは、前側竿管元部と後側竿管先部の夫々のカット面を対面させる相対角度位置では、前側竿管元部を後側竿管先部内に挿入でき、充分に挿入した状態において相対回転可能であり、カット面同士の対面状態からずれる様に相対回転させた角度位置で、前側竿管を前方向に移動させれば、途中で嵌合する寸法に形成している継合部を具備することを特徴とする継式釣竿を提供する。
竿管には、中実竿杆や中実部を有することを許容する。即ち、穂先竿が中実竿であったり、前側竿管の元部が中実であってもよい。周方向輪郭の円の内側に位置する面とは、現実製品に残る円周部を滑らかに連続させた円の内側に位置する面であり、この面には、曲率が０の平面、溝（凹形状）を含む曲面が含まれる。また、後側竿管のカット面には前側ほど後側竿管の中心に近づく傾斜領域を有するとは、このカット面全体が傾斜領域であってもよく、一部長さ範囲が傾斜領域となっていてもよい。
【０００５】
請求項２に係る発明では、前側竿管の元部外周を前細テーパの円錐状とし、該円錐状部に、該円錐状部の周方向輪郭の円の内側に位置する面であって、長手方向に延伸し、前側竿管の中心軸線に平行な面であり、該円錐状部の周方向輪郭円をカットした形のカット面を周方向に１箇所以上のＮ箇所形成し、後側竿管の先部内周をストレートな円筒又は前細テーパの円錐状とし、該円筒部又は円錐状部に、該円筒部又は円錐状部の周方向輪郭の円の内側に位置する面であって、長手方向に延伸し、該円筒部又は円錐状部の周方向輪郭円をカットした形のカット面を、前記前側竿管に設けたカット面に対応する周方向配置でＮ箇所形成し、該カット面には前側ほど後側竿管の中心に近づく傾斜領域を有しており、前記前側竿管元部と前記後側竿管先部とは、前側竿管元部と後側竿管先部の夫々のカット面を対面させる相対角度位置では、前側竿管元部を後側竿管先部内に挿入でき、充分に挿入した状態において相対回転可能であり、カット面同士の対面状態からずれる様に相対回転させた角度位置で、前側竿管を前方向に移動させれば、途中で嵌合する寸法に形成している継合部を具備することを特徴とする継式釣竿を提供する。
【０００６】
請求項３に係る発明では、前側竿管の元部外周の、カット面でない円周部面には、前記後側竿管カット面の傾斜領域の該後側竿管中心軸線に対する傾斜角度と実質同じ傾斜角度の領域を有している請求項１又は２記載の継式釣竿を提供する。
前側竿管の元部外周のカット面でない円周部面は、カットされる前の元部外周面の残り部とも言える。角度が実質同じとは、製造上の誤差を許容し、この範囲の相違は同じという意味である。
請求項４に係る発明では、前記各竿管は繊維強化樹脂製であり、前記各カット面が平面である請求項１〜３の何れか１記載の継式釣竿を提供する。
【０００７】
請求項５に係る発明では、前記前側竿管のカット面と後側竿管のカット面とが、各竿管の長手方向に対して同じ方向に螺旋状に形成された面である請求項１記載の継式釣竿を提供する。
請求項２に係る発明ではカット面が長手方向に延伸する形態であるが、ここでは螺旋方向に延伸する形態である。
請求項６に係る発明では、前記Ｎは２以上であり、Ｎ箇所のカット面は円周方向に等角度配置されている請求項１〜５の何れか１記載の継式釣竿を提供する。
請求項７は、前記Ｎは２、３又は４である請求項６記載の継式釣竿を提供する。
【発明の効果】
【０００８】
請求項１に係る発明では、前側竿管元部外周のカット面と後側竿管先部内周のカット面との角度位置を合わせて、前側竿管の元部を後側竿管の先部内に挿入できる（前側竿管元部のカット面等を挿入できる寸法に形成している）ため、必要位置まで挿入し、その後、カット面同士が相対する状態から異なる状態にまで相対回転させる。この相対位置状態において前側竿管を引き出せば、後側竿管のカット面には、前側竿管のカット面に隣接した円周部（カットされていない円周部）が対面するため、後側竿管のカット面には、前側竿管のカット面よりも竿中心からの距離の大きな（簡単に言えば径の大きな）この円周部が嵌合できる（嵌合可能な寸法に形成されている）。しかも、後側竿管のカット面は、前側ほど後側竿管の中心に近づいている傾斜領域を有しているので、前側竿管を引き出そうとすればする程嵌合がきつくなり、従来の、所謂、振出式継合の継合感覚が得られる。
発明者は、従来の振出式継合構造の釣竿において、先端に固定式外ガイドが付いていても、穂先竿の交換を可能にしたり、掃除等のメンテナンスの利便性のために、各竿を分離可能にできないものかという発想から本願発明に至った。
【０００９】
請求項２に係る発明では、カット面の方向が長手方向等、請求項１の形態を幾分限定したものであり、作用効果は請求項１と同様である。
請求項３に係る発明では、前側竿管の元部外周の円周部面には、後側竿管のカット面の傾斜領域の傾斜角度と同じ傾斜角度の領域を有しているため、継ぎ合わせ嵌合させた場合に、長手方向に沿って互いに押圧し合い、嵌合力が強く安定する。
請求項４に係る発明では、カット面が平面であるため、前側竿管元部外周のカット面は、竿管成形後にフライス盤で容易に形成できる。また、後側竿管先部の内周のカット面は、該竿管形成時に芯金によって形成されるが、その芯金先部の外周に、該カット面に対応するカット面をフライス盤によって容易に形成できる。
【００１０】
請求項５に係る発明では、カット面の方向が螺旋方向（平面視的に長手方向でなく傾斜方向）であり、このため、継ぎ合わせ時にはその螺旋方向角度に応じて相対回転させる必要があるが、継ぎ合わせを完了した後、不用意に相対回転することは少なく、或いは完了し損ねていて、逆に相対回転させれば抜け去る虞があっても、通常、釣竿には長手方向に直線的に引き抜かれる力が作用するので、抜け難くなる効果がある。
請求項６に係る発明では、カット面が等角度配置されているため、引き出し嵌合前の前側竿管を回転させる際に、左右何れの方向の回転でも、所定の同じ角度回転させれば嵌合可能な角度となるため、釣人にとって操作が容易となる。
【００１１】
請求項７に係る発明では、カット面が２の場合は、前側竿管元部を後側竿管先部に挿入した後に９０度前後回転させて引き出せば丁度よく嵌合し、３の場合は、６０度前後回転させて引き出せばよく、４の場合は、４５度前後回転させて引き出せばよい。カット面の幅寸法に関係して（幅寸法が小さいほど）回転操作の角度誤差に余裕が生じるが、幅寸法が極端に大きくない限り、この請求項５の範囲で、カット面が４である場合に対応する最小角度の４５度を狙った回転の場合でも、例えば、実際の操作では３０度しか回転させなかった（或いは６０度も回転させた）としても、そのままの相対角度で引き出せば嵌合できる。このように、この請求項５の範囲では、回転操作角度誤差の余裕がある。従って、手の感覚により素早く嵌合可能な角度まで回転できるが、これ以上カット面の箇所が多くなれば、少しの回転操作でも回転させ過ぎとなり易く、再び不用意にカット面同士が対面する位置に近づき過ぎ、嵌合できる相対角度位置を素早くは捉え難くなる。
【発明を実施するための最良の形態】
【００１２】
以下、本発明を図面を用いて詳細に説明する。
図１は、本発明に係る継式釣竿の、前側竿管としての管状の穂先竿１０の元部１０Ａ近くと、後側竿管としての穂持竿２０の先部２０Ａ近くとを、穂持竿から穂先竿を分離した状態で示す側面図であり、図２は図１の穂先竿を挿入して継合嵌合に至る途中の側面図、図３は図２の矢視線Ｃ−Ｃによる拡大横断面図、図４は図２の状態から所定角度相対回転させて更に引き出して嵌合させた状態の側面図、図５は図４の矢視線Ｅ−Ｅによる拡大横断面図、図６は図４の状態の後側竿管の拡大縦断面図と、その矢視線Ｆ１−Ｆ１とＦ２−Ｆ２による夫々横断面図（ｂ）、（ｃ）である。以下、前側竿管を穂持竿（第１中竿）とし、後側竿管を第２中竿、等他の竿管の組み合わせとして考えても同様である。各竿管はエポキシ樹脂等の合成樹脂をマトリックスとし、炭素繊維等の強化繊維で強化した繊維強化樹脂製竿管である。
【００１３】
穂先竿１０は、その元部１０Ａである大径部とその前側の小径部１０Ｂとを、急テーパ部１０Ｃによって接続した形状を成しているが、急テーパ部が無く、外径が滑らかに変化していてもよい。元部１０Ａはストレートな円筒や前細円錐（台）や後細円錐（台）等の周方向輪郭が円形の外周面１０Ｓの形状を基本の元形状としてもよいが、ここでは、前細円錐形状である。その円錐筒体の側部の１８０度離れた２箇所に、フライス盤の作業によって平面状のカット面１０Ｈを形成している。このカット面は穂先竿の中心軸線に平行に形成されており、その結果、図１にも示す様に、後側が幅広で前側が幅狭な台形状、或いは二等辺三角形状となっている。
【００１４】
穂持竿２０は、その先部２０Ａの内周面２０Ｓの形状がストレートな円筒や前細円錐状、後細円錐状があるが、ここではストレートな円筒である。その円筒内側に、穂先竿のカット面に対応して、１８０度離れた２箇所に、穂持竿内方に出た状態のカット面２０Ｈが形成されている。このカット面もここでは平面に形成されており、先部２０Ａの前方向に行くに従って穂持竿の中心に近づいている。即ち、図６に示すように、中心軸線からの（径方向の）距離が前側程短くなっている。従って、このカット面は、図１にも示す様に、前側が幅広で後側が幅狭な台形状、或いは二等辺三角形状となっている。
【００１５】
穂先竿元部の長さと穂持竿先部の長さは、ここでは同等の長さに設定しているが、長さを異ならしめてもよい。また、以上の他、両継合部１０Ａ，２０Ａの半径方向寸法は、図２に示す様にして、即ち、穂先竿のカット面１０Ｈと穂持竿のカット面２０Ｈが対面する相対角度位置にして穂先竿元部を穂持竿先部内に挿入できることが必要である。また後述するが、図４に示すようにして穂先竿元部と穂持竿先部とは嵌合することが必要である。然しながら、本願の記載全体から本願技術思想を理解すれば、これらの寸法選定自体は当業者にとって設計的な事項である。
【００１６】
図２に示す様に、穂先竿のカット面１０Ｈと穂持竿のカット面２０Ｈが対面する相対角度位置にして穂先竿元部を穂持竿先部内に充分に挿入する。図２では、視覚的に判り易くするため、図１の穂持竿の破線に相当する線を１点鎖線としている。この場合は、穂先竿の元部後端が、穂持竿先部領域の後端位置よりも後方に位置するまで挿入している。
【００１７】
この後、穂持竿２０を穂先竿１０に対して相対的に９０度（２つのカット面の角度間隔が１８０度であるため、その中間の角度）程時計回り又は反時計回りに回転させると、穂持竿先部のカット面２０Ｈに対して、カットした残りの穂先竿元部外周の円周部面１０Ｓが対面する角度関係となる。それから、その相対角度関係を維持しつつ穂先竿を前方に移動させる（抜く方向に移動させる）。そうすると、各種寸法から定まる所定の位置において互いに嵌合し始める。この状態を図４に示している。こうした９０度等に回転させる角度については、一般に、前側竿管と後側竿管とに目印を設けておき、これを合わせるようにすれば更に継合操作が容易になる。
【００１８】
その矢視線Ｅ−Ｅによる拡大横断面図である図５の２点鎖線２０ＨＡで示すラインは、横断面位置を示す矢視線Ｅ−Ｅが穂持竿先部先端近くであった場合のカット面２０Ｈを示すラインである。このライン２０ＨＡと現在の矢視線Ｅ−Ｅの位置に対応する実線のカット面ライン２０Ｈとの径方向の位置差を認識すれば明らかな様に、穂先竿１０を引き出そうとすればする程、穂先竿の元部外周の各円周部面１０Ｓは、穂持竿先部のカット面２０Ｈに強く押圧されて嵌合力が大きくなる。即ち、従来の振出式継合部と同様な嵌合状態を生む。
【００１９】
この釣り可能な状態から、穂先竿を穂持竿から分離させるには、穂先竿を穂持竿内に押し込んで嵌合を外し、何れかの方向に９０度程回転させて引けば抜ける。こうして、例え、トップガイドが固定式であって、穂先竿を穂持竿の後端からは抜き取れない場合であっても、例えば、調子の異なる替え穂先竿と交換する等の作業が可能となる。
【００２０】
以上の形態例では、カット面を平面としたが、平面には限らないで、各部の外周又は内周の円周部の曲率よりも小さな曲率の曲面（各部の外周又は内周の円筒部の曲率を正とすれば、曲率が負の値、即ち、凹状曲面も含む）にすることもできる。その他、既述のように、元部１０Ａの外周面１０Ｓや先部２０Ａの内周面２０Ｓの長手方向形状等についても既述の他の変形形態がある。以下では、カット面の箇所が３箇所と４箇所の場合について図と共に簡単に説明するが、それ以上の場合や１箇所の場合も成り立つ。
【００２１】
図７と図８は、カット面が３箇所の場合の形態例を示し、図７は図６に対応する図であり、図８（ａ）は前側竿管の斜視図、（ｂ）は端面図である。この例でも、後側竿管の先部２０Ａ’の内周カット面２０Ｈ’を等角度配置しており、１２０度間隔になっている。基本となる元の先部内周２０Ｓは、長手方向においてこの例でもストレートな円筒である。その円筒の内側に、１２０度離れた３箇所にカット面２０Ｈ’が形成されている。このカット面もここでは平面に形成されており、先部２０Ａ’の前方向に行くに従って竿の中心に近づいている。即ち、図７（ａ）に示すように、中心軸線からの（径方向の）距離が前側程短くなっている。従って、このカット面は、前側が幅広で後側が幅狭な台形状、或いは二等辺三角形状となっている。
【００２２】
また、前側竿管１０’の元部１０Ａ’の外周カット面１０Ｈ’も１２０度間隔の等角度配置されている。この例でも、基本となる円形の元部外周１０Ｓは前細円錐形状である。その円錐筒体の側部３箇所に、フライス盤の作業によって平面状のカット面１０Ｈ’を形成している。このカット面は前側竿管の中心軸線に平行に形成されており、その結果、後側が幅広で前側が幅狭な台形状、或いは二等辺三角形状となる。
【００２３】
従って、前側竿管元部１０Ａ’を後側竿管先部２０Ａ’内に挿入する場合は、カット面１０Ｈ’を先部２０Ａ’のカット面２０Ｈ’に対面する角度位置にする。即ち、（ｂ）に示されるように、カット面の形成により３箇所に分割された元の円錐筒体表面１０Ｓの一部分である元部外周の円周部面１０Ｓを、同様な後側竿管の先部内周の円周部面２０Ｓに対面可能な角度位置にする。元部１０Ａ’はこの相対角度状態で、先部２０Ａ’の内部に挿入可能な各径寸法に形成している。
【００２４】
充分挿入した後、後側竿管の先部内周の円周部面２０Ｓに対応する角度位置にある元部外周の円周部面１０Ｓを、前記先部内周の円周部面２０Ｓに隣接したカット面２０Ｈ’に対面可能な角度位置にすべく６０度（既述の１２０度の半分）程度何れかの方向に回転させれば、結果的に、３箇所の元部外周の円周部面１０Ｓが、夫々、先部のカット面２０Ｈ’に対面可能な角度位置になる。従って、この相対角度位置を維持しつつ前側竿管を引き出せば、先部の各カット面２０Ｈ’が前側程中心に近づくように傾斜しているため、途中で嵌合する（こうなるような各径方向寸法に設計しており、この設計自体は当業者には容易である）。
【００２５】
図９と図１０はカット面が４箇所の場合の形態例を示し、図９は図６に対応する図であり、図１０（ａ）は前側竿管の斜視図、（ｂ）は端面図である。この例でも、後側竿管の先部２０Ａ”の内周カット面２０Ｈ”を等角度配置しており、９０度間隔になっている。基本となる元の先部内周２０Ｓは、この例でもストレートな円筒である。その円筒の内側に、９０度離れた４箇所にカット面２０Ｈ”が形成されている。このカット面もここでは平面に形成されており、先部２０Ａ”の前方向に行くに従って竿の中心に近づいている。即ち、図９（ａ）に示すように、中心軸線からの（径方向の）距離が前側程短くなっている。従って、このカット面は、前側が幅広で後側が幅狭な台形状、或いは二等辺三角形状となっている。
【００２６】
また、前側竿管１０”の元部１０Ａ”の外周カット面１０Ｈ”も９０度間隔の等角度配置されている。この例でも、基本となる円形の元部外周１０Ｓは前細円錐形状である。その円錐筒体の側部４箇所に、フライス盤の作業によって平面状のカット面１０Ｈ”を形成している。このカット面は前側竿管の中心軸線に平行に形成されており、その結果、後側が幅広で前側が幅狭な台形状、或いは二等辺三角形状となる。
【００２７】
従って、前側竿管元部１０Ａ”を後側竿管先部２０Ａ”内に挿入する場合は、カット面１０Ｈ”を先部２０Ａ”のカット面２０Ｈ”に対面する角度位置にする。挿入後、４５度（既述の９０度の半分）程度何れかの方向に回転させ、その角度位置で前側竿管を引き出せば途中で嵌合する（このような寸法に設計する）。
【００２８】
カット面を５箇所以上設ける形態も可能である。更には、１箇所設ける形態も可能であり、図１１では以上の場合と異なり、カット面が螺旋状の場合であって、しかも１箇所の場合の説明図である。前側竿管元部１０Ａ’’’の断面円形の外周１０Ｓに、カット面１０Ｈ’’’が竿管の長手方向に対して角度θの方向に螺旋状に形成されている。一方、後側竿管の先部２０Ａ’’’内には、１箇所のカット面２０Ｈ’’’が、図示の如く竿管の長手方向に対して角度Θの方向に螺旋状に形成されている。両角度θとΘは実質同じである。この図は両カット面が角度的に一致した状態を示しており、この相対角度関係のまま元部１０Ａ’’’を先部２０Ａ’’’入り口に挿入し始めると共に、螺旋方向に沿って前側竿管を捩りつつ挿入することにより内部に入り、その後は、例えば１８０度回転させて引き出そうとすれば、途中できつく嵌合できる。カット面を複数にすることもできる。
【００２９】
図１２〜図１４は、第１の形態例の図６等に示す様に、後側竿管先部２０Ａ内のカット面２０Ｈが、その全長に亘って漸次竿の中心に近づいているのではなく、後側竿管先部２０Ａ””内のカット面２０Ｈ””の後端部近くの傾斜領域Ｌ２の範囲で、前側程漸次竿の中心に近づいているが、その他の領域では、中心軸線に平行な形態を例示している。この場合のカット面は９０度間隔で４箇所設けられている。一方、前側竿管元部１０Ａ””は、後端近くの領域Ｌ１において、第１の形態例のように後方広がりの円錐台１０Ｓに、９０度間隔で４箇所にカット面１０Ｈ””を設けている。このカット面は竿の中心軸線に平行に設けており、このためカット面は三角形状になっている。
【００３０】
継ぎ合わせの挿入方法は、図１２に示す相対角度位置で前側竿管を挿入でき、充分挿入後に４５度程度回転させて前側に引けば、後側竿管の継合領域の内の傾斜領域Ｌ２の範囲において、前側竿管の継合領域の内の領域Ｌ１部分（部分的にカットされた円錐台の円周部面１０Ｓが）がきつく嵌合できる（このような寸法に設定する）。このことは他の形態例と同様である。こうした例はカット面が４箇所以外の場合でも可能である。また、図１３を見ればよく分かるが、前側竿管元部の残りの領域は、この三角形の前側頂点の、中心軸線からの距離を半径とする円筒１０Ｓ’である。この半径が、図４に示す後側竿管先部入口の４面内接円の半径と殆ど一致するように設計すると、継ぎ合わせされた状態においてガタつき難い。
【００３１】
カット面を２個所設ける最初の第１形態例で説明した各種変形事項は、特に矛盾が無い限り他の形態例の場合も同様であり、特許請求の範囲内で種々の変形形態がある。
【産業上の利用可能性】
【００３２】
本発明は継式釣竿に適用できる。特に外部に釣糸ガイドが装着され、竿管先端部に固定された釣糸ガイドのある振出式の継式釣竿に好適に適用できる。しかし、その他の、従来から並継式に継ぎ合わされていた継式釣竿にも適用できる。
【図面の簡単な説明】
【００３３】
【図１】図１は本発明に係る継式釣竿の、穂先竿の元部近くと穂持竿の先部近くとを、穂持竿から穂先竿を分離した状態で示す側面図である。
【図２】図２は図１の穂先竿を挿入して継合嵌合に至る途中の側面図である。
【図３】図３は図２の矢視線Ｃ−Ｃによる拡大横断面図である。
【図４】図４は図２の状態から所定角度相対回転させて更に引き出して嵌合させた状態の側面図である。
【図５】図５は図４の矢視線Ｅ−Ｅによる拡大横断面図である。
【図６】図６は図４の状態の後側竿管の拡大縦断面図と、その矢視線Ｆ１−Ｆ１とＦ２−Ｆ２による横断面図である。
【図７】図７は本発明に係る他の形態の継式釣竿の後側竿管の縦断面図と、その矢視線Ｇ１−Ｇ１とＧ２−Ｇ２による横断面図である。
【図８】図８は図７に対応する前側竿管の斜視図と端面図である。
【図９】図９は本発明に係る他の形態の継式釣竿の後側竿管の縦断面図と、その矢視線Ｉ１−Ｉ１とＩ２−Ｉ２による横断面図である。
【図１０】図１０は図９に対応する前側竿管の斜視図と端面図である。
【図１１】図１１は本発明に係る他の形態の継式釣竿の、前側竿管の元部近くと後側竿管の先部近くとを、互いに分離した状態で示す側面図である。
【図１２】図１２は本発明に係る他の形態の継式釣竿の、前側竿管の元部近くと後側竿管の先部近くとを、互いに分離した状態で示す側面図である。
【図１３】図１３は図１２の矢視線Ｍ−Ｍによる拡大横断面図である。
【図１４】図１４は図１２の後側竿管の前端側から見た端面図である。
【符号の説明】
【００３４】
１０                    前側竿管
１０Ａ                  元部
１０Ｈ                  カット面
１０Ｓ                  元部外周（カットした残りの円周部面）
２０                    後側竿管
２０Ａ                  先部
２０Ｈ                  カット面
２０Ｓ                  先部内周（カットした残りの円周部面）
【図１】
2005278520.tif 000003
【図２】
2005278520.tif 000004
【図３】
2005278520.tif 000005
【図４】
2005278520.tif 000006
【図５】
2005278520.tif 000007
【図６】
2005278520.tif 000008
【図７】
2005278520.tif 000009
【図８】
2005278520.tif 000010
【図９】
2005278520.tif 000011
【図１０】
2005278520.tif 000012
【図１１】
2005278520.tif 000013
【図１２】
2005278520.tif 000014
【図１３】
2005278520.tif 000015
【図１４】
2005278520.tif 000016